(57)【要約】      （修正有）【課題】使用時点で確認される航空機アセンブリ時間集計のためのシステムを提供する。【解決手段】製造プロセスの制御方法では、製造プロセス制御アプリケーションに関連付けられた一の対話型音声応答（ＩＶＲ）メニューに複数の製造タスクを割り当て、ユーザの移動電話デバイスを介して、対話型音声応答メニューに割り当てられた複数の製造タスクのうちの一つを選択し、製造プロセス制御アプリケーションから、選択された製造タスクを示す確認応答を、移動電話デバイスで受け取る。一又は複数の実施形態では、複数の製造タスクの割り当てには、各製造タスクを一の番号に割り当てることが含まれ、幾つかの実施形態では、この番号は、移動電話デバイスのキーパッド上の一のキーに対応する。【選択図】図２
2013117961.tif 000002
【特許請求の範囲】
【請求項１】
製造プロセスの制御方法（２００）であって、
製造プロセス制御アプリケーションに関連付けられた一の対話型音声応答（ＩＶＲ）メニュー（３０７）に複数の製造タスク（３０６）を割り当てることと、
対話型音声応答メニュー（３０７）に割り当てられた複数の製造タスク（３０６）のうちの一つを、ユーザ（３０３）の移動電話デバイス（３０５）を介して選択することと、
製造プロセス制御アプリケーションから、選択される製造タスク（３０６）を示す確認応答（３１３）を、移動電話デバイス（３０５）で受け取ることと
を含む方法。
【請求項２】
複数の製造タスク（３０６）を割り当てることが、移動電話デバイス（３０５）のキーパッド上の一のキー（３１４）に対応する番号に各製造タスク（３０６）を割り当てることを含む、請求項１に記載の方法（２００）。
【請求項３】
複数の製造タスク（３０６）のうちの一つを選択することが、選択される製造タスク（３０６）を示すテキストメッセージ（３１６）を対話型音声応答メニュー（３０７）に送ることを含む、請求項１に記載の方法（２００）。
【請求項４】
複数の製造タスク（３０６）のうちの一つを選択することが、ユーザ（３０３）によって選択される製造タスク（３０６）を示すメニューアイテムを対話型音声応答メニュー（３０７）に音声で伝える（３１５）ことを含む、請求項１に記載の方法（２００）。
【請求項５】
複数の製造タスク（３０６）のうちの一つを選択することにより、直前の製造タスク（３０６）が終了し、選択された製造タスク（３０６）が起動し、且つ
移動電話（３０５）で確認応答（３１３）を受け取ることが、終了した直前の製造タスク（３０６）及び選択された製造タスク（３０６）のうちの一方に関連付けられた情報を受け取ることを含む、
請求項１に記載の方法（２００）。
【請求項６】
複数の製造タスク（３０６）のうちの一つを選択する前に、移動電話デバイス（３０５）のユーザ（３０３）を認証することをさらに含み、この認証が、ユーザの移動電話デバイス（３０５）に対応する電話番号（３０９）の確認、及びユーザが入力した、ユーザの移動電話デバイス（３０５）に対応する電話番号（３０９）に関連付けられたＰＩＮ（３１１）の確認のうちの一方又は両方を含む、請求項１に記載の方法（２００）。
【請求項７】
製造プロセスの制御システム（３００）であって、
製造プロセス制御アプリケーションに関連付けられた対話型音声応答（ＩＶＲ）メニュー（３０７）と、
ユーザ（３０３）の移動電話デバイス（３０５）と
を備えており、
複数の製造タスク（３０６）が、製造プロセス制御アプリケーションに関連付けられた対話型音声応答（ＩＶＲ）メニュー（３０７）に割り当てられており、
対話型音声応答メニュー（３０７）に割り当てられた複数の製造タスク（３０６）の一つが、ユーザ（３０３）の移動電話デバイス（３０５）を介して選択され、
製造プロセス制御アプリケーションから、選択される製造タスク（３０６）を示す確認応答（３１３）が、移動電話デバイスで受け取られる、
システム。
【請求項８】
複数の製造タスク（３０６）を割り当てることが、移動電話デバイス（３０５）のキーパッド上の一のキー（３１４）に対応する番号に各製造タスク（３０６）を割り当てることを含む、請求項７に記載のシステム（３００）。
【請求項９】
複数の製造タスク（３０６）のうちの一つを選択することが、対話型音声応答メニュー（３０７）に、選択される製造タスク（３０６）を示すテキストメッセージを送る（３１７）こと、及び対話型音声応答メニュー（３０７）に、ユーザ（３０３）によって選択される製造タスク（３０６）を口頭で伝える（３１５）ことのうちの一方である、請求項７に記載のシステム（３００）。
【請求項１０】
複数の製造タスク（３０６）のうちの一つを選択することにより、直前の製造タスク（３０６）が終了し、選択された製造タスク（３０６）が起動される、請求項７に記載のシステム（３００）。
【発明の詳細な説明】
【背景技術】
【０００１】
本発明は、航空機のアセンブリ時間の集計に関する。具体的には、本発明は、使用時点で確認される航空機アセンブリ時間の集計に関する。現在、航空機アセンブリ製造タスクの起動／終了に利用可能なプロセスは極めて煩雑である。本明細書に開示される方法及び装置により、使用時点で確認される航空機アセンブリ時間集計のための作動システムが提供される。
【発明の概要】
【０００２】
本発明は、使用時点で確認される航空機アセンブリ時間集計のための方法、システム、及びアプローチに関する。本発明の一態様によれば、製造プロセス制御方法が提供される。具体的には、この方法では、製造プロセス制御アプリケーションに関連付けられた一の対話型音声応答（ＩＶＲ）メニューに複数の製造タスクを割り当てる。この方法は、ユーザの移動電話デバイスを介して、対話型音声応答メニューに割り当てられた複数の製造タスクのうちの一つを選択することをさらに含む。加えて、方法は、製造プロセス制御アプリケーションから、選択される製造タスクを示す確認応答を、移動電話デバイスで受け取ることを含む。
【０００３】
有利には、複数の製造タスクの割り当てには、各製造タスクをそれぞれ一の番号に割り当てることが含まれる。好適には、この番号は、移動電話デバイスのキーパッド上の一のキーに対応する。
【０００４】
有利には、複数の製造タスクのうちの一つを選択することは、選択される製造タスクを示すテキストメッセージを対話型音声応答メニューに送ることを含む。有利には、複数の製造タスクのうちの一つを選択することは、ユーザによって選択される製造タスクを示すメニューアイテムを、対話型音声応答メニューに口頭で伝えることを含む。有利には、複数の製造タスクのうちの一つを選択することにより、直前の製造タスクが終了し、選択された製造タスクが起動する。有利には、確認応答を移動電話で受け取ることは、終了した直前の製造タスクに関連付けられた情報を受取ることを含む。好適には、確認応答を移動電話デバイスで受け取ることは、選択された製造タスクに関連付けられた情報を受取ることを含む。有利には、移動電話デバスのユーザの認証が、複数の製造タスクのうちの一つの選択に先立って行われる。好適には、ユーザの認証は、ユーザの移動電話デバイスに対応する電話番号を確認することを含む。好適には、ユーザの認証は、ユーザの移動電話デバイスに対応する電話番号に関連付けられたユーザにより入力される個人識別番号（ＰＩＮ）を確認することを含む。有利には、確認応答を受け取ることは、移動電話デバイスでテキストメッセージを受け取ることを含む。
【０００５】
本発明のさらなる態様によれば、製造プロセス制御のためのシステムが提供される。開示されるシステムは、製造プロセス制御アプリケーションに関連付けられた対話型音声応答（ＩＶＲ）メニューと、ユーザの移動電話デバイスを含む。このシステムでは、複数の製造タスクが、製造プロセス制御アプリケーションに関連付けられた対話型音声応答（ＩＶＲ）メニューに割り当てられる。また、対話型音声応答メニューに割り当てられた複数の製造タスクのうちの一つが、ユーザの移動電話デバイスを介して選択される。加えて、製造プロセス制御アプリケーションから、製造タスクが選択されたことを示す確認応答が、移動電話デバイスで受け取られる。
【０００６】
有利には、複数の製造タスクの割り当てには、各製造タスクを一の番号に割り当てることが含まれる。好適には、この番号は、移動電話デバイスのキーパッド上の一のキーに対応する。有利には、複数の製造タスクのうちの一つを選択することは、選択される製造タスクを示すテキストメッセージを対話型音声応答メニューに送ることを含む。有利には、複数の製造タスクのうちの一つを選択することは、ユーザによって選択される製造タスクを示すメニューアイテムを、対話型音声応答メニューに口頭で伝えることを含む。有利には、複数の製造タスクのうちの一つを選択することにより、直前の製造タスクが終了し、選択された製造タスクが起動する。好適には、確認応答を移動電話で受け取ることは、終了した直前の製造タスクに関連付けられた情報を受取ることを含む。有利には、確認応答を移動電話デバイスで受け取ることは、選択された製造タスクに関連付けられた情報を受取ることを含む。
【０００７】
上記の特徴、機能、及び利点は、本発明の種々の実施形態において単独で達成することができるか、又は他の実施形態において組み合わせることができる。
【図面の簡単な説明】
【０００８】
本発明の上記の特徴、態様、及び利点に対する理解は、後述の説明、特許請求の範囲、及び添付図面を参照することにより深まるであろう。
【図１】製造プロセス制御システムの概略図である。
【図２】幾つかの実施形態による製造制御方法のフロー図である。
【図３Ａ】幾つかの実施形態による製造プロセス制御システムの概略図である。
【図３Ｂ】幾つかの実施形態による製造プロセス制御アプリケーションと、それに関連付けられた対話型音声応答（ＩＶＲ）メニューとの概略図である。
【図４Ａ】幾つかの実施形態による製造プロセス制御の例示的方法を示す概略図である。
【図４Ｂ】幾つかの実施形態による製造プロセス制御の例示的方法を示す概略図である。
【図４Ｃ】幾つかの実施形態による製造プロセス制御の例示的方法を示す概略図である。
【図４Ｄ】幾つかの実施形態による製造プロセス制御の例示的方法を示す概略図である。
【図４Ｅ】幾つかの実施形態による製造プロセス制御の例示的方法を示す概略図である。
【図４Ｆ】幾つかの実施形態による製造プロセス制御の例示的方法を示す概略図である。
【図４Ｇ】幾つかの実施形態による製造プロセス制御の例示的方法を示す概略図である。
【図４Ｈ】幾つかの実施形態による製造プロセス制御の例示的方法を示す概略図である。
【発明を実施するための形態】
【０００９】
本明細書に開示される方法及び装置により、使用時点で確認される航空機アセンブリ時間集計のための作動システムが提供される。具体的には、このシステムは、音声制御及び／又は移動電話のキーパッドを使用したテキストメッセージを介した航空機アセンブリ製造タスクのユーザによる遠隔起動及び／又は終了を可能にする、ユーザに関連付けられた移動電話デバイスを含む。
【００１０】
現在、航空機アセンブリ製造タスクの起動／終了に利用可能なプロセスは極めて煩雑である。図１は、一般的な製造プロセス制御システム１００の概略図である。一般に、関連する航空機１０２の製造タスクの所与の組は、航空機１０２製造工場全体に散在する製造プロセス制御アプリケーションを実行する幾つかの支援コンピュータ１０１を使用して、手動で起動及び終了されなければならない。特定のタスクを起動するためには、アセンブリ技術者１０３は、実行する次のタスクを選択する前に、支援コンピュータ１０１まで移動しなければならない。同様に、特定のタスクを終了させるためには、アセンブリ技術者１０３は、終了させるタスクを選択するために、支援コンピュータ１０１まで移動しなければならない。加えて、特定のタスクに関連する情報（例えば、製造タスクの累積時間）を取得するためにも、アセンブリ技術者１０３は支援コンピュータ１０１まで移動しなければならない。
【００１１】
このような製造工場は極めて大規模であり、それに含まれる支援コンピュータ１０１の数は限られているので、製造タスクの起動／終了には非効率な点が複数生じている。アセンブリ技術者１０３が所与の製造タスクを起動／終了するために、製造工場の一の地点から支援コンピュータ１０１まで移動するには数分を要することがある。これにより、一組の製造タスクを実行するために必要な合計時間が増大し、率要件を満たすことができなくなる恐れがある。このような遅延は時に数時間にもなりうる。さらに、一の製造タスクが物理的に完了し、新規製造タスクが開始されるとき、アセンブリ技術者１０３が支援コンピュータ１０１に到達して製造プロセス制御アプリケーションに選択された製造タスクを修正することができるまで、新規製造タスクの累積時間が、完了した製造タスクに割り当てられ続けることがある。
【００１２】
開示されるシステムの設計により、移動電話デバイスを介して航空機アセンブリ製造タスクの起動／終了することが可能となり、それにより一般的な製造プロセス制御システムに関連する遅延が最小化される。製造タスクのこのような起動／終了は、音声により制御することができるか、又は別の構成では、環境が音声制御に適合しない場合にはテキストメッセージにより制御することができる。加えて、特定のタスクに関連する情報（例えば、製造タスクの累積時間）は、移動電話デバイスを用いて遠隔取得可能である。
【００１３】
下記の説明では、システムのさらに徹底した説明を提供するために多数の詳細事項が記載されている。しかしながら、当業者には、開示されたシステムをこれらの具体的な詳細事項なしで実行可能であることが明らかであろう。その他の場合、システムを不要にわかりにくくしないために、よく知られる特徴は詳細には説明しない。
【００１４】
図２は、幾つかの実施形態による製造制御方法２００のフロー図である。方法２００はステップ２１０において開始される。ステップ２２０では、複数の製造タスクが、製造プロセス制御アプリケーションに関連付けられた一の対話型音声応答（ＩＶＲ）メニューに割り当てられる。製造プロセス制御アプリケーションは、製造工場全体に散在する支援コンピュータの各々において実行される。ＩＶＲメニューは、製造プロセス制御アプリケーションに関連付けられており、音声又はキーパッド入力を用いて移動電話デバイスと製造プロセス制御アプリケーションとの対話を支援するように構成されている。例えば、ＩＶＲメニューは、移動電話デバイスからのユーザの音声／キーパッド入力を解釈し、このような音声／キーパッド入力を製造プロセス制御アプリケーションへの入力へと翻訳することができる。同様に、ＩＶＲメニューは、製造プロセス制御アプリケーションからの出力を、移動電話デバイス用の音声／テキスト出力に翻訳することができる。
【００１５】
ＩＶＲメニューには複数の製造タスクが割り当てられる。複数の製造タスクは、アセンブリ技術者により、製造シフトの開始前に、製造プロセス制御アプリケーション及び関連するＩＶＲメニューを実行する支援コンピュータに入力される。複数の製造タスクは、予定される製造シフトの間に実行される任意の数のタスクを含む。ＩＶＲメニューに複数の製造タスクを割り当てることは、割り当てられた各製造タスクのために識別子を割り当てることを含む。幾つかの実施形態では、複数の製造タスクの各々には一の番号が割り当てられる。幾つかの実施形態では、この番号は、移動電話デバイスのキーパッド上の一のキーに対応する。他の実施形態では、複数の製造タスクの各々には、数字以外の識別子（例えば文字）が割り当てられる。
【００１６】
複数の製造タスクの割り当てが終了したら、ステップ２３０に記載するように、ユーザの移動電話デバイスを介して、ＩＶＲに割り当てられた複数の製造タスクのうちの一つを選択する。複数の製造タスクのうちの一つを選択する際には、ユーザ（例えば、アセンブリ技術者）は、まずＩＶＲメニューに関連付けられた電話番号をダイヤルすることができる。
【００１７】
幾つかの実施形態では、製造プロセス制御方法は、製造タスクを選択する前に、移動電話デバイスのユーザの認証ステップをさらに含む。ユーザの認証は、ユーザの移動電話デバイスに対応する電話番号を確認することを含む。例えば、製造制御アプリケーションは、ＩＶＲメニューとの対話に使用されている移動デバイスの電話番号と比較できる、認証済み電話番号のリストを格納することができる。移動デバイスの電話番号がこのリストに含まれている場合、移動電話デバイスのユーザは許可されて、ＩＶＲメニューに割り当てられた複数の製造タスクのうちの一つを選択することができる。移動デバイスの電話番号がリストに含まれていない場合、移動電話デバイスのユーザは、ＩＶＲメニューに割り当てられた複数の製造タスクのうちの一つを選択することを阻まれる。他の幾つかの実施形態では、ユーザを認証することは、移動電話デバイスのユーザにより入力されたＰＩＮを確認することをさらに含む。例えば、製造制御アプリケーションは、移動電話デバイスのユーザにＰＩＮを問い合わせることができ、次いでこのＰＩＮを確認済みの個人識別番号（ＰＩＮ）のリストと比較する。ＰＩＮがこのリストに含まれている場合、移動電話デバイスのユーザは進行を許可されて、ＩＶＲメニューに割り当てられた複数の製造タスクのうちの一つを選択することができる。ＰＩＮがリストに含まれていない場合、移動電話デバイスのユーザは、ＩＶＲメニューに割り当てられた複数の製造タスクのうちの一つを選択することを阻まれる。
【００１８】
製造タスクの選択を迅速に行うために、ユーザは自分の移動電話デバイスに、ＩＶＲメニューに関連付けられた電話番号の短縮ダイヤルをプログラムすることができる。ユーザがＩＶＲメニューに接続すると（認証により、又は認証なしで）、ＩＶＲメニューは各製造タスクを、それに割り当てられた識別子と一緒に音声で復唱することができる。これにより、ユーザはＩＶＲメニューから製造タスクを選択することができる。
【００１９】
幾つかの実施形態では、ユーザは、移動電話デバイスを介して、選択される製造タスクを示すメニューアイテム（例えば、識別子）を、ＩＶＲメニューに口頭で伝えることができる。このような実施形態では、ＩＶＲメニューは、音声認識を実行し、且つユーザが伝えた識別子に関連付けられた製造タスクを選択するように構成される。他の実施形態では、ユーザは、選択される製造タスクを示すメニューアイテム（例えば、識別子）のテキストメッセージを、ＩＶＲメニューに送ることができる。このような実施形態では、ＩＶＲメニューは、テキストメッセージを解釈し、テキストメッセージに記述された識別子に関連付けられた製造タスクを選択するように構成される。移動デバイスのユーザが音声制御に適さないノイズの多い環境に位置しているとき、製造タスクを選択するためには口頭での伝達よりテキストメッセージの使用が好ましい。
【００２０】
幾つかの実施形態では、複数の製造タスクのうちの一つを選択することにより、直前の製造タスクが終了し、選択された製造タスクが起動する。他の幾つかの実施形態では、複数の製造タスクのうちの一つを選択することにより、直前の製造タスクのタイムアキュムレーションが終了し、選択された製造タスクのタイムアキュムレーションが起動する。他の幾つかの実施形態では、複数の製造タスクのうちの一つを選択することにより、選択された製造タスクに関連付けられた情報が受け取られる。このような情報には、例えば、選択された製造タスクについて現時点までに累積された時間、又は選択された製造タスクの残り時間が含まれる。
【００２１】
製造タスクが選択されたら、次いで、ステップ２４０に記載のように、製造制御アプリケーションから、移動電話デバイス上で、選択された製造タスクを示す確認応答が受け取られる。幾つかの実施形態では、確認応答は、ユーザの移動電話デバイスにおいてテキストメッセージとして受け取られる。これは、移動デバイスのユーザが、移動電話デバイスに音声入力された情報を聞き取ることが困難な、ノイズの多い環境に位置している時に望ましい。
【００２２】
幾つかの実施形態では、確認応答を移動電話で受け取ることは、終了した直前の製造タスクに関連付けられた情報を受取ることも含む。例えば、確認応答は、終了した製造タスクについて累積された時間を示すことができる。他の実施形態では、確認応答を移動電話で受け取ることは、選択された製造タスクに関連付けられた情報を受取ることを含む。例えば、確認応答は、選択された製造タスクを示すことに加えて、選択された製造タスクを実行するために配分された時間を示すことができる。
【００２３】
方法２００はステップ２５０において終了する。
【００２４】
複数の製造タスクをＩＶＲメニューに割り当てた後、製造タスクの選択及び確認応答の受領が、製造シフトの過程で複数回にわたって繰り返されてもよい。例えば、アセンブリ技術者は、自分の移動電話デバイスを介して、ＩＶＲメニューに割り当てられた第１の製造タスクを選択し、選択された第１の製造タスクを示す確認応答を受け取ることができる。第１の製造タスクを完了した後、次いで、アセンブリ技術者は、自分の移動電話デバイスを介して、ＩＶＲメニューに割り当てられた第２の製造タスクを選択し、選択された第２の製造タスクを示す確認応答を受け取ることができる。このような製造タスクの選択及び確認応答の受領は、ＩＶＲへの製造タスクの割り当て一回につき複数回にわたって繰り返されてよい。
【００２５】
図３Ａは、図２の方法を実施するための,幾つかの実施形態による製造制御システム３００の概略図である。システム３００は、航空機３０２の製造工場内に位置する一又は複数の支援コンピュータ３０１を含む。各支援コンピュータ３０１は、図３Ｂに示すように、製造制御アプリケーションと、それに関連付けられた対話型音声応答メニュー３０７とを実行する。対話型音声応答メニュー３０７は、上述のように、移動電話デバイスを介して選択可能な割り当てられた複数の製造タスク３０６を含む。移動電話デバイス３０５のユーザ３０３（例えば、アセンブリ技術者）は、自分の移動電話デバイス３０５を介して（例えば、音声制御又はテキストメッセージを使用して）、図２に記載した方法２００を実施するために製造制御アプリケーションに関連付けられたＩＶＲメニュー３０と対話することができる。
【００２６】
移動電話デバイス３０５を介した航空機３０２アセンブリ製造タスク３０６の遠隔起動／終了が可能になることで、典型的な製造プロセス制御システムに関連付けられる遅延がうまく最小化される。製造タスク３０６を起動／終了するために物理的に支援コンピュータ３０１まで歩くことにより有意な遅延を招いてしまうのではなく、本発明の方法及びシステムでは、、ユーザ３０３は、単純に自分の移動電話デバイス３０５を使用して製造プロセス制御アプリケーションと対話することによって製造タスク３０６を遠隔起動／終了することができる。加えて、特定のタスク３０６に関連する情報（例えば、製造タスクの累積時間）は、支援コンピュータ３０１まで物理的に歩いていかなくても、移動電話デバイス３０５を使用して遠隔取得することができる。また、所与の製造タスク３０６について累積される時間は、移動電話デバイス３０５が製造タスク３０６の終了を選択すると停止されるので、タスク３０６の実際の物理的終了時までに累積される時間がさらに正確に反映され、従って、製造プロセス制御のための本発明の方法及びシステムにより、タスクのタイムアキュムレーションの精度が大きく向上しうる。これは、製造タスク３０６が既に物理的に終了している場合も、アセンブリ技術者３０３がタスク３０６を手動で終了させるために支援コンピュータ３０１に到達できるときにしか所与の製造タスク３０６の累積時間が停止されない一般的な製造プロセス制御システムとは対照的である。さらに、ＩＶＲメニュー３０７はあらゆる移動電話デバイス３０５と対話するように構成されるので、製造プロセス制御のための本発明の方法及びシステムにより、移動電話デバイス３０５自体のコンフィギュレーション制御を行う必要が完全に排除される。
【００２７】
図４Ａ〜Ｈは、幾つかの実施形態による製造プロセス制御の例示的方法を示す概略図である。まず、ユーザ（例えば、アセンブリ技術者）３０３は、複数の製造タスク３０６を、図４Ａに示すような、プロセス制御アプリケーションに関連付けられたＩＶＲメニュー３０７に割り当てる。これは、ユーザ３０３が支援コンピュータ３０１まで物理的に歩いて行って、ＩＶＲメニュー３０７に複数の製造タスク３０６を手入力することを伴う。別の構成では、ユーザは、製造プロセス制御アプリケーションに関連付けられたＩＶＲメニュー３０７にアクセスするリモートコンピュータを使用して、ＩＶＲメニュー３０７に複数の製造タスク３０６を遠隔地から入力することができる。この実施例では、各製造タスク３０６は、移動電話デバイス３０５のキーパッド３１４上の一のキーに対応する番号に割り当てられる。例えば、タスク３０６「後桁を装てんする」は番号「０」に、タスク３０６「小骨を装てんする」は番号「１」に、それぞれ割り当てられる。
【００２８】
複数の製造タスク３０６のＩＶＲメニュー３０７への割り当てが完了したら、ユーザ３０３は、図４Ｂに示すようにして、自分の移動電話デバイス３０５を使用し、ＩＶＲメニュー３０７に関連付けられた電話番号３１０をダイヤルする。すると、製造制御アプリケーションは、図４Ｃに示すように、移動電話デバイス３０５に関連付けられた電話番号３０９と、認証済み電話番号のリスト３０８とを比較することにより、電話番号３０９を確認する。製造制御アプリケーションは、さらに、ユーザ３０３にＰＩＮ３１１を問い合わせることにより、移動電話デバイス３０５のユーザ３０３を認証することができる。このとき、移動電話デバイス３０５のユーザ３０３は、図４Ｄに示すようにＰＩＮ３１１を入力する。すると、製造制御アプリケーションは、図４Ｅに示すように、ＰＩＮ３１１と認証済みＰＩＮのリスト３１２とを比較することによりＰＩＮ３１１を確認する。
【００２９】
移動電話デバイス３０５のユーザ３０３が認証されたら、ＩＶＲメニュー３０７は、割り当てられた各製造タスクを、それに関連する識別子（例えば、番号）３０６と共に音声で読み上げる。ここで、ユーザ３０３は、自分の移動電話デバイス３０５を介して、ＩＶＲメニュー３０７に割り当てられた複数の製造タスク３０６のうちの一つを選択することができる。ユーザ３０３は、図４Ｆに示すように、選択するタスクを示すメニューアイテム３０６を口頭で伝える。別の構成では、ユーザは、図４Ｇに示すように、選択する製造タスク３０６を示すテキストメッセージ３１６を送ることができる。
【００３０】
製造プロセス制御アプリケーションは、次いで、図４Ｈに示すように、ユーザ３０３の移動電話デバイス３０５宛てに、テキストメッセージ３１７に含めて確認応答３１３を送る。この実施例では、確認応答３１３は、終了した製造タスク３０６、終了した製造タスク３０６の累積時間、選択された製造タスク３０６、及び選択された製造タスク３０６に配分された時間を示している。
【００３１】
特定の例示的実施形態及び方法を本明細書に開示したが、前述の開示内容から、当業者には、本発明の精神及び範囲から逸脱することなく上記実施形態及び方法に変更及び修正を加えることが可能であることが理解されるであろう。その他多数の本発明の実施例があり、各実施例はその詳細事項においてのみ他と異なる。したがって、本発明は特許請求の範囲及び適用法の規則及び原理によって必要とされる範囲にのみ制限される。
【符号の説明】
【００３２】
３００    製造制御システム
３０１    支援コンピュータ
３０２    航空機
３０３    ユーザ
３０５    移動電話デバイス
３０６    製造タスク
３０７    対話型音声応答（ＩＶＲ）メニュー
３０８    認証済み電話番号のリスト
３０９    移動電話デバイスの電話番号
３１０    ＩＶＲメニューの電話番号
３１１    ＰＩＮ
３１２    ＰＩＮのリスト
３１３    確認応答
３１４    キーパッド上のキー
３１５    口頭（音声）での伝達
３１６    テキストメッセージ
３１７    テキストメッセージの送付
【図１】
2013117961.tif 000003
【図２】
2013117961.tif 000004
【図３Ａ】
2013117961.tif 000005
【図３Ｂ】
2013117961.tif 000006
【図４Ａ】
2013117961.tif 000007
【図４Ｂ】
2013117961.tif 000008
【図４Ｃ】
2013117961.tif 000009
【図４Ｄ】
2013117961.tif 000010
【図４Ｅ】
2013117961.tif 000011
【図４Ｆ】
2013117961.tif 000012
【図４Ｇ】
2013117961.tif 000013
【図４Ｈ】
2013117961.tif 000014
【外国語明細書】
2013117961000001.pdf
2013117961000002.pdf
2013117961000003.pdf
2013117961000004.pdf